(57)【要約】      （修正有）【課題】配管フランジの側面が食い違っているとき、食い違いを合わせるのに使用するもので、ボルト径の違うフランジにも適用できるフランジ面合わせ治具を提供する。【解決手段】垂直にした円柱の頭部の近くを曲げ、上端部を水平に切断し、その面の中央から斜めに曲げた反対方向に切断して打撃部１を設け、曲部４の下側は下に向かって断面調整部５、ボルト穴合わせ部６、およびボルト穴誘導部７の順序で設けたフランジ面合わせ治具で、ボルト穴誘導部は両側とも内側に急なテーパー１０である。【選択図】図１
2012092957.tif 000002
【特許請求の範囲】
【請求項１】
垂直にした円柱の頭部の近くを曲げ、上端部を水平に切断し、その面の中央から斜めに曲げた反対方向に切断して打撃部を設け、曲部の下側は下に向かって断面調整部、ボルト穴合わせ部、およびボルト穴誘導部の順序で設けたフランジ合わせ治具。
【請求項２】
断面調整部、ボルト穴合わせ部、およびボルト穴誘導部は、曲げる前の円柱の円の中心における曲げ方向面を含む垂直面において、曲げ方向側は、断面調整部は垂直、ボルト穴合わせ部は、垂直に対して曲げた方向の反対方向にわずかなテーパー、ボルト穴誘導部は、垂直に対して曲げた方向の反対方向に急なテーパーになっており、それらの反対側は、垂直で、曲げる前の円柱に接している。当該垂直面に対する曲げる前の円柱の円の中心における直交面においては、断面調整部は両側とも内側にゆるやかなテーパー、ボルト穴合わせ部は両側とも垂直、ボルト穴誘導部は両側とも内側に急なテーパーである。断面調整部、ボルト穴合わせ部、およびボルト穴誘導部の水平断面は、円に近い形状、または、それに内接する多角形である請求項１のフランジ側面合わせ治具。
【発明の詳細な説明】
【技術分野】
【０００１】  この発明は、フランジ接続部のフランジ側面が食い違っているとき、ボルト穴に打ち込み、その食い違いを合わせるフランジ合わせ治具に関するものである。
【背景技術】
【０００２】  従来は、配管のフランジの側面が食い違っているとき、ボルト穴に工具等の柄を差し込んだり、柄がゆるやかなテーパーで曲がった片口メガネレンチをボルト穴に打ち込み、ナットが入る穴に他の工具等を入れてメガネレンチを回転させたり、大きな力が必要な時はチエンブロック等を使用して配管を引き寄せるなどして合わせていた。
【発明の概要】
【発明が解決しようとする課題】
【０００３】  これは次のような欠点があった。
（イ）ボルト穴に工具等の柄を差し込む方法は、大きな力が得られず、差し込んだものが外れる危険があり、特に、高所における作業の安全性に問題があった。
（ロ）柄がゆるやかなテーパーで曲がった片口メガネレンチをボルト穴に打ち込み、ナットが入る穴に他の工具等を入れてメガネレンチを回転させる方法は、ボルト穴の内径にバラツキがあっても対応できるが、大きな合わせ力が得られず、時間がかかり、ある程度の経験が必要であった。
（ハ）大きな合わせ力が得られるチエンブロック等を使用して配管を引き寄せる方法は、段取り、作業、かたづけ等に時間かかり、狭所やチエンブロック等のかけるところのない場所では、非常に困難であった。
本発明は、これらの欠点を除くためになされたものである。
【課題を解決するための手段】
【０００４】  垂直にした円柱の頭部の近く（４）を曲げ、上端部を水平に切断し、その面の中央から斜めに曲げた反対方向に切断して打撃部（１）を設け、曲部（４）の下側は下に向かって断面調整部（５）、ボルト穴合わせ部（６）、およびボルト穴誘導部（７）の順序で設ける。【０００５】  断面調整部（５）、ボルト穴合わせ部（６）、およびボルト穴誘導部（７）は、曲げる前の円柱の円の中心における曲げ方向面を含む垂直面において、曲げ方向側は、断面調整部（５）は垂直、ボルト穴合わせ部（６）は、垂直に対して曲げた方向の反対方向にわずかなテーパー（９）、ボルト穴誘導部（７）は、垂直に対して曲げた方向の反対方向に急なテーパー（１０）になっており、それらの反対側は、垂直で、曲げる前の円柱に接している。当該垂直面に対する曲げる前の円柱の円の中心における直交面においては、断面調整部（５）は両側とも内側にゆるやかなテーパー、ボルト穴合わせ部（６）は両側とも垂直、ボルト穴誘導部（７）は両側とも内側に急なテーパーである。断面調整部（５）、ボルト穴合わせ部（６）、およびボルト穴誘導部（７）の水平断面は、円に近い形状、または、それに内接する多角形である。
本発明は、以上のような構成よりなるフランジ合わせ治具である。
【発明の効果】
【０００６】  フランジごとに違うボルト穴の内径に対応でき、相互のフランジが円周方向にずれて取り付けられていてもフランジ側面の食い違いを合わすことができる。ボルト穴に挿入し、打撃するだけで、機械的に、短時間に、かつ安全にフランジ側面の食い違いを合わせることができるとともに、クサビの作用で大きな合わせ力を得られるため、チエンブロック等で配管を引っ張る作業を必要としない。
以上により、作業の時間の短縮、人数の削減、および作業の省略等によりコストダウン、安全の向上が図れる。なお、この形状は太さ、長さを変えることにより、ボルト径の違うフランジにも適用できる。
【図面の簡単な説明】
【０００７】  本図は、ボルト穴合わせ部（６）およびボルト穴誘導部（７）の断面は円に近い形状、または、それに内接する多角形であるが、図面は円に近い形状を示す。
【図１】本発明の斜視図である。
【図２】本発明の正面図である。
【図３】本発明の平面図である。
【図４】施工前を示した斜視図である。
【図５】施工の完了状態を示した斜視図である。
【図６】施工の完了状態を示した断面図である。
【発明を実施するための形態】
【０００８】  以下、本発明を実施するための最良の形態について説明する。
垂直にした円柱の頭部近く（４）を曲げ、上端部を水平に切断し、その面の中央から斜めに曲げた反対方向に切断して打撃部（１）を設け、曲部（４）の下側は下に向かって断面調整部（５）、ボルト穴合わせ部（６）、およびボルト穴誘導部（７）の順序で設ける。
【０００９】  断面調整部（５）、ボルト穴合わせ部（６）、およびボルト穴誘導部（７）は、曲げる前の円柱の円の中心における曲げ方向面を含む垂直面において、曲げ方向側は、断面調整部（５）は垂直、ボルト穴合わせ部（６）は、垂直に対して曲げた方向の反対方向にわずかなテーパー（９）、ボルト穴誘導部（７）は、垂直に対して曲げた方向の反対方向に急なテーパー（１０）になっており、それらの反対側は、それぞれとも、曲げる前の円柱に接している。当該垂直面に対する曲げる前の円柱の円の中心における直交面においては、断面調整部（５）は両方とも内側にゆるやかなテーパー、ボルト穴合わせ部（６）は両方とも垂直、ボルト穴誘導部（７）は両方とも内側に急なテーパーである。
【００１０】  断面調整部（５）の水平断面は、上端部は円、下端部はボルト穴合わせ部（６）の上端部と同じである。
【００１１】  ボルト穴合わせ部（６）の水平断面は、円に近い形状、またはそれに内接する多角形で、その上端部の長軸の長さは、ボルト穴の製作許容範囲の最大値より若干大きく、短軸の長さはボルトの外径、下端部はボルト穴の製作許容範囲の最小値より若干小さく、短軸の長さはボルトの外径である。
【００１２】  ボルト穴誘導部（７）の水平断面は、円に近い形状、またはそれに内接する多角形で、その上端部は、ボルト穴合わせ部（６）の下端部と同じで、下端部は、円またはそれに内接する多角形である。
【００１３】  円柱を曲げ、頭部を水平、斜めに切断することで、打撃により、ボルト穴（１３）の内径とボルト穴合わせ部（６）の長軸の長さが一致したとき、ボルト穴（１３）の上縁部とわずかなテーパー部（９）の接点（１２）を支点とした回転力が発生し、ボルト穴合わせ部（６）の垂直部（８）は、ボルト穴（１３）に直線的に接し、フランジ（Ａ）に対して直角になる。このとき、ボルト穴合わせ部（６）は、クサビの作用でボルト穴（１３）に食い込んでいる。フランジ（Ｂ）のボルト穴（１４）もボルト穴合わせ部（６）の垂直部（８）によってフランジ（Ａ）の中心方向に押され、ボルト穴合わせ部（８）に直線的に接する。これにより、フランジは合わされ、食い込みによってフランジ（Ｂ）が元にもどるのを防止される。これらはボルト穴の径に関係なく行われ、フランジ（Ａ）とフランジ（Ｂ）が多少離れていても、フランジ側面の食い違いは合わされる。しかし、これは、理論上で、フランジごとによる各所の製作誤差、配管とフランジとの取り付け具合、およびボルト穴の径とボルト外径との差分のフランジ相互の円周方向のずれ等によって、上記のように行われないのが現状である。その調整として、目視しながら円柱部（３）を前後左右に打撃することにより、フランジ側面の食い違いは合わされる。
【実施例】
【００１４】  本発明は、以上のような構造で使用方法をつぎに説明する。
図４に示した例は、垂直に設置された配管（Ｃ）、（Ｄ）に取り付けられたフランジ（Ａ）、（Ｂ）はボルト穴誘導部の端部（１１）が入る範囲で食い違っている。目視により、打撃部（１）を手前に、ボルト穴合わせ部（６）の長軸をフランジ（Ａ）の中心に向け、もっとも、大きくフランジ側面の食い違った部分に一番近くて、打撃したとき、ボルト穴合わせ部（６）の垂直部（８）がボルト穴（１４）をフランジ（Ａ）の中心へ移動させられるボルト穴（１３）を選択する。ボルト穴（１３）、（１４）にボルト穴誘導部（７）を挿入し、ボルト穴（１３）の内径とボルト穴の合わせ部（６）の長軸の長さが一致するまで打撃部（１）をハンマーで打撃する。このとき、まだ、フランジ（Ａ）、（Ｂ）が食い違っていれば、円柱部（３）を前後左右に打撃し、フランジ側面の食い違いを合わす。ボルトを対角に２点以上入れて締め付け、ボルト穴誘導部の端部（１１）を挿入した反対方向に打撃して取り外す。
【符号の説明】
【００１５】  １…打撃部
２…斜め切断部
３…円柱部
４…曲部
５…断面調整部
６…ボルト穴合わせ部
７…ボルト穴誘導部
８…ボルト穴合わせ部  およびボルト穴誘導部の垂直部
９…ボルト穴合わせ部のわずかなテーパー部
１０…ボルト穴誘導部の急なテーパー部
１１…ボルト穴誘導部の端部
１２…ボルト穴とボルト穴合わせ部のわずかなテーパー部との接点
１３…ボルト穴
１４…ボルト穴
【図１】
2012092957.tif 000003
【図２】
2012092957.tif 000004
【図３】
2012092957.tif 000005
【図４】
2012092957.tif 000006
【図５】
2012092957.tif 000007
【図６】
2012092957.tif 000008